(57)【要約】      （修正有）【課題】ゴム又は伸縮する材質を生かして、メッシュ状の網面で庭の小石などのゴミや土砂や蚊の侵入を防止し、網袋で落葉などのゴミを回収して、排水管への詰まりを防止するために一体化した、枡、会所のゴミ、土砂及び蚊の防止ネットを提供する。【解決方法】枡や会所の上蓋にかぶせる正方形、又は丸形のメッシュ状の網面１と枡や会所の中に入れるメッシュ状の網袋２と、その２つを結ぶゴム５、又は伸縮する材質を間に挟んだ２個のＳ字金具の止め具４の３つで構成する。【選択図】図４
0003179965.tif 000002
【実用新案登録請求の範囲】
【請求項１】
建物の外部にある雨水の枡や会所の上蓋にかぶせるメッシュ状の網面と、枡や会所の中に入れるメッシュ状の網袋とを止め具で結び、一体化した、ゴミ、土砂及び蚊の防止ネットであり、（１）上蓋にかぶせるメッシュ状の正方形、または丸形の網面で、その網面の端はゴム又は伸縮する材質とし、かぶせるために枡や会所の上蓋より大きな寸法とする。（２）枡や会所の中に入れるメッシュ状の網袋は長方形で角錐台、又は底辺のある円筒形の形状であり、その袋の３つの側面にはたてに切れ目を入れる。その大きさは横から来ている樋、及び配水管の直径より大きくし、その切れ目の両サイドはゴム、又は伸縮する材質とする。それに配水管の先端を入れて固定することにより、落葉などのゴミが網袋の中に入る。（３）網袋の底辺及び側面の底辺より２〜５ｃｍの高さまでメッシュ状の網を２〜３重にする。それにより、土砂を網袋の底へ貯めることが出来る。（４）ゴム、又は伸縮する材質を中にして、２個のＳ字金具で挟んで、結んだ止め具を作り、その止め具で上蓋にまき込むメッシュ状の網面と枡や会所の中に入れる網袋とを連結する。１個の枡や会所につき、４つの側面に１個ずつ、計４個以上の止め具を取り付けて、下部の網袋が下へ落ちたり、流れたりしないようにする役割とする。以上からなる、枡、会所のゴミ、土砂及び蚊の防止ネット。
【請求項２】
枡や会所の中へ配水管の先端が伸びてきていない場合は、使用されている既存の配水管の直径と同じ新規の配水管を１０〜１５ｃｍ前後の寸法に切断し、その半分の上側だけをカットして補助の差し込み配水管を作り、既存の配水管に、カットした部分の長い方を上にして差し込むことにより、新たに配水管が枡、会所の中へ伸びた形になり、網袋の側面の切れ込み部分を入れることが出来、切れ込み部分のゴム、又は伸縮する材質にて固定することが出来る。新たに補助の差し込み配水管を作ることを特徴とする、請求項１記載の枡、会所のゴミ、土砂及び蚊の防止ネット。
【考案の詳細な説明】
【技術分野】
【０００１】本考案は建物の外部にある、雨水の枡や会所に関するものである。
【背景技術】
【０００２】枡や会所に入る落葉などのゴミや庭の小石などを回収する装置は存在しないが、枡や会所の底辺の近くにある排水管へゴミや小石などが侵入するのを防止したり、蚊が入らないようにするネットの網などはある。
【先行技術文献】
【０００３】１８〜２４メッシュ状の網を切断して、枡や会所の中の排水管の入口に立て掛けたり丸めたりして置き、ゴミや小石等の侵入を防ぐ。また、上記のメッシュ状の網を上蓋の下に置き、上蓋の取っ手の穴や隙間からの蚊の侵入を防止する。以上、商品としては存在しないが、消費者が自分の意志で網を加工して施工する。
【考案の概要】
【０００４】建物の雨水用の枡や会所において、落葉などのゴミと、庭の小石や土砂などが入ることと、蚊の侵入とは別々の防止方法となるが、本考案は、ゴム又は伸縮する材質を生かして、メッシュ状の網面で庭の小石などのゴミや土砂や蚊の侵入を防止し、網袋で落葉などのゴミを回収して、排水管への詰まりを防止するために一体化したものである、枡、会所のゴミ、土砂及び蚊の防止ネット。
【考案が解決しようとする課題】
【０００５】雨水の枡や会所へは、樋や他の配水管から水と共にいろいろなゴミや土砂が流れてくる。庭の小石や土砂などのゴミが上蓋の穴や隙間から枡や会所の中へ入ってきてたまる。１〜２年に１回は上蓋を開けて清掃しなければならない。汚れる面倒な仕事である。また枡や会所の中の底辺に近い下段の横への排水管が詰まれば、高圧洗浄をしたり、排水管を掘り起こして交換などの別途の費用と労力がかかる。
【０００６】雨水の枡や会所の下段の横への排水管は、底より少し上の位置にある。そのために底辺には常に水がたまっている場合が多い。蚊が入り、ボーフラを生み、蚊が発生する場所の１つになっている。
【課題を解決するための手段】
【０００７】本考案は、枡や会所の上蓋にかぶせる正方形、又は丸形のメッシュ状の網面と枡や会所の中に入れるメッシュ状の網袋と、その２つを結ぶゴム、又は伸縮する材質を間に挟んだ２個のＳ字金具の止め具の３つで構成する。
【０００８】上蓋用の網面は住宅用の網戸などに使用しているメッシュ１８〜２４のポリプロピレンポリオレフィン、ポリエチレン、ポリエステル樹脂などの樹脂製などで作り、網面の端はゴム、又は伸縮する材質で作り幅３〜１０ｍｍとする。網面の寸法はまき込むために上蓋の寸法より大きくする。それを枡や会所の上蓋の下辺に当てて、網面の端をまき上げて上蓋の上辺に取り付ける。それにより、上蓋の取っ手の穴や割れ目等がメッシュ状の網で防がれる。
【０００９】枡や会所の中に入れるメッシュ状の網袋は、メッシュ１８〜２４のポリプロピレン、ポリオレフィン、ポリエチレン、ポリエステル等の樹脂製で作り、底辺及び側面の底辺より２〜５ｃｍの高さにメッシュ１８〜２４状の網を２〜３重にする。それにより土砂をも網袋の底へ貯めることが出来る。網袋の４つの側面のうち、３つの側面の真ん中に、縦に切れ面を入れる。その切れ目の長さは、枡や会所に来ている配水管の直径より大きくする。その切れ目の両サイドはゴム、又は伸縮する材質として、その切れ目を開いて樋や配水管の先端部分を入れる。それにより、樋や配水管から流れてくる落葉などのゴミは網袋の中の下部へ入り、ドロに近い土砂は網袋の底面に貯まる。
【実施例１】枡や会所の中へ樋や配水管の先端が出ている場合、樋や配水管の先端に袋の側面の切れ目を開いて入れる。
【実施例２】枡や会所の中へ樋や配水管の先端が出ておらず、所謂、ツライチになっている場合には、次の方法で対処する。同じ直径の寸法の配水管を１０〜１５ｃｍ前後に切断0003179965.tif 000003
込み配水管を作り、水平部分にカットした径の長い方を上にして、既存の配水管へ挿入する。それにより、配水管の先端部分が新たにでき、網袋の切れ目を開けて差し込むことが出来るようになる。【００１０】上蓋用のメッシュ状の網面と枡や会所の中に入れるメッシュ状の網袋とを結ぶ止め具は、ゴム又は伸縮する材質を挟んだ２個のＳ字の金具の形状であり、Ｓ字金具の材質は針金、プラスチック、ステンレス、アルミなどで作る。４個以上の止め具で、上蓋用の網面と、下部の網袋をＳ字金具で引っ掛けて止める。止め具は上蓋用の網面と下部の網袋を引っ掛けて結んで枡や会所の下に落ちたり、流れたりしないようにする役割である。また２個のＳ字の間のゴム、又は伸縮する材質の役割は、コンクリート製の上蓋は重いので、上蓋の片方だけを先に下の会所に置き、一方は斜めにしたままで会所の中の網袋の上部にＳ字を引っ掛ける作業をする。上部の上蓋の網面と下部の網袋とを引っ掛けて結ぶ作業は、力のない人でも容易にすることができる。
【考案の効果】
【００１１】雨水の枡や会所には落葉や土砂やその他のゴミが集まってくる。いろいろなゴミを本考案の網袋の中に入れて貯めておき、１年に１回位の期間で網袋を交換する。手を汚さずに簡単な作業でゴミを回収することが出来る。また、雨水の枡や会所の上蓋に、下から、本考案の網をまき込んで付けるだけという簡単な作業で、取っ手の穴や上蓋の割れ目などの隙間から入ってくる庭の小石や土砂などや蚊の侵入を防止する。
【考案を実施するための最良の形態】
【００１２】枡や会所にはいろいろの大きさがある。市販では通常、小、中、大、特大と４種類があり、一般家庭用は大（蓋サイズ３３０ｍｍ角）である。枡や会所の寸法に合わせた上蓋より大きい寸法の網面と、枡や会所の内部に合わせた寸法の網袋を選ぶ。【００１３】枡や会所の上蓋を開けて、その上蓋の下辺に網面を当て、網の端のゴム、又は伸縮する材質の部分を上蓋の端にまき上げて付ける。【００１４】枡や会所の中へ入って来ている樋や配水管の先端部分に網袋の側面の切れ目を開いて差し込む。枡や会所には次のとおりの３種類の樋及び配水管が入ってきている。水が入ってくる樋や配水管は、枡や会所の中段であり、水が出てゆく排水管は底に近い下段である。0003179965.tif 000004
樋及び配水管は１〜３ヶ所である。一方、枡や会所の中へ樋や配水管の先端が出ていない場合は、［０００９］の［実施例２］の補助の差し込み配水管を作り、既存の配水管に入れて、網袋の側面の切れ目を差し込む。【００１５】ゴム、又は伸縮する材質を中に挟んで２個のＳ字金具で止めた形の止め具を作り、下部の網袋と上部の上蓋用の網面にそれぞれＳ字金具を引っ掛けて止める。１つの枡、会所につき、４側面に１つずつ、計４個以上の止め具で止める。コンクリートの会所の上蓋は重いので、一方の上蓋の端は会所の端に置いたままで、一方を斜めに半開きにしながら作業する。そのために、止め具はゴム、又は伸縮する材質とする必要があり、伸びるために、止め具を付ける作業が容易となる。【００１６】上蓋を下ろして閉じる。
【図面の簡単な説明】
【００１７】
【図１】正面図  （１）上蓋用のメッシュ状の網面図  （２）枡、会所の中へ入れるメッシュ状の網袋図  （３）網面と網袋を止める止め具図
【図２】側面図  （１）上蓋用のメッシュ状の網面図  （２）枡、会所の中へ入れるメッシュ状の網袋図  （３）網面と網袋を止める止め具図
【図３】上からの図  （１）上蓋用のメッシュ状の網面図  （２）枡、会所の中へ入れるメッシュ状の網袋図  （３）網面と網袋を止める止め具図
【図４】会所へ本考案をセットした図
【図５】配水管が会所の中へ入って来ている図
【図６】配水管に網袋を入れた図
【図７】上蓋に網袋をかぶせた図
【図８】配水管が会所の中へ入って来ていない図
【図９】補助の差し込み配水管図  （１）正面図  （２）側面図  （３）全体図
【図１０】補助の差し込み配水管を既存の配水管に入れた図
【符号】
【００１８】▲１▼上蓋用のメッシュ状の網面、メッシュ１８〜２４ポリプロピレン、ポリオレフィン、ポリエチレン、ポリエステル樹脂・▲２▼枡、会所の中へ入れるメッシュ状の網袋▲３▼ゴム、又は伸縮する材質、幅３〜１０ｍｍ▲４▼止め具のＳ字金具（細い針金、ステンレス、プラスチック、アルミ）▲５▼止め具のゴム、又は伸縮する材質▲６▼補助の差し込み配水管▲７▼既存の配水管▲８▼メッシュ状の網を２〜３重にする
【産業上の利用可能性】
【００１９】ゴミなどが原因で雨水の枡や会所の詰まり、特に横への排水管の詰まりは専門業者にとっても大変厄介で、面倒な仕事であって、別途に工事費がかかる。更に、水のあるところには、蚊が発生する。夏の蚊は人々を悩まし、病気などを媒介する。本考案は、この２つの問題点を防止し、その解消を図ることを目的とした。本考案の装置を取り付けて、網袋を交換するだけという、一般の人にも簡単な作業であり、手を汚さずに出来る、健全で快適な生活を送るために寄与する装置である。
【図１】
0003179965.tif 000005
【図２】
0003179965.tif 000006
【図３】
0003179965.tif 000007
【図４】
0003179965.tif 000008
【図５】
0003179965.tif 000009
【図６】
0003179965.tif 000010
【図７】
0003179965.tif 000011
【図８】
0003179965.tif 000012
【図９】
0003179965.tif 000013
【図１０】
0003179965.tif 000014
【手続補正書】
【提出日】平成24年8月8日(2012.8.8)
【手続補正１】
【補正対象書類名】明細書
【補正対象項目名】００１４
【補正方法】変更
【補正の内容】
【００１４】枡や会所の中へ入ってきている樋や配水管の先端部分に網袋の側面の切れ目を開いて差し込む。枡や会所には次のとおりの３種類の樋及び配水管が入ってきている。
水が入ってくる樋や配水管は、枡や会所の中段であり、水が出ていく排水管は底に近い下段である。
▲１▼枡や会所の４側面のうち、１側面に樋及び配水管があり、他の１側面に排水管がある。
▲２▼枡や会所の４側面のうち、２側面に樋及び配水管があり、他の１側面に排水管がある。
▲３▼枡や会所の４側面のうち、３側面に樋及び配水管があり、他の１側面に排水管がある。
従って、樋や配水管は１〜３ケ所である。
一方、枡や会所の中へ樋や配水管の先端が出ていない場合は、［０００９］の［実施例２］の補助の差し込み配水管を作り、既存の配水管に入れて、網袋の側面の切れ目を開いて差し込む。